(57)【要約】【課題】水道水の供給圧に起因する破損を生じ難い給水ユニット構造を提供する。【解決手段】給水ユニット構造１は、ベースプレート９１と、ベースプレート９１に第１ビス５１ａ、５１ｂで固定され、水道水が供給される第１流路部材１０と、第１流路部材１０に接続され、水道水の供給圧を受ける第２流路部材２０とを備える。  第１流路部材１０と第２流路部材２０とは、水道水の供給圧による双方の距離変化を一定範囲で許容しつつ接続され、第２流路部材２０は、距離変化を許容する空隙Ｃｈを有してベースプレート９１に第２ビス５２で係止されている。【選択図】図２
2006283483.tif 000002
【特許請求の範囲】
【請求項１】
基部と、該基部に第１ビスで固定され、水道水が供給される第１流路部材と、該第１流路部材に接続され、該水道水の供給圧を受ける第２流路部材とを備える給水ユニット構造であって、
前記第１流路部材と前記第２流路部材とは、前記水道水の供給圧による双方の距離変化を一定範囲で許容しつつ接続され、
該第２流路部材は、該距離変化を許容する空隙を有して前記基部に第２ビスで係止されていることを特徴とする給水ユニット構造。
【請求項２】
前記基部は前記第２ビスを固定しており、前記第２流路部材は該第２ビスの軸部を前記空隙を有して挿通させる挿通孔を有することを特徴とする請求項１記載の給水ユニット構造。
【請求項３】
前記基部は、前記第２ビスを固定しつつ該第２ビスの軸方向に突出する柱部を有し、前記第２流路部材は、該柱部を前記空隙を有して挿通させる挿通孔を有することを特徴とする請求項１記載の給水ユニット構造。
【請求項４】
前記挿通孔は、前記第２流路部材に形成され、前記柱部の突出量よりも厚さが薄い取付部に貫設されていることを特徴とする請求項３記載の給水ユニット構造。
【請求項５】
前記挿通孔は軸直角方向が開放されていることを特徴とする請求項２、３又は４記載の給水ユニット構造。
【請求項６】
前記空隙が軸直角方向から目視可能に構成されていることを特徴とする請求項５記載の給水ユニット構造。
【請求項７】
水道水により洗浄される洋風便器本体と、該水道水を該洋風便器本体に吐水させる便器洗浄装置と、該水道水を人体の局部に吐水させる局部洗浄装置とを備えた洋風水洗式便器に用いられるものであって、
前記第１流路部材は、前記便器洗浄装置と前記局部洗浄装置とに前記水道水を分配するものであり、
前記第２流路部材は、該局部洗浄装置に供給される該水道水の供給と遮断とを切り替える制御弁を有することを特徴とする請求項１乃至６のいずれか１項記載の給水ユニット構造。
【発明の詳細な説明】
【技術分野】
【０００１】
本発明は給水ユニット構造に関する。
【背景技術】
【０００２】
従来、図９に模式的に示すように、洋風水洗式便器に用いられる給水ユニット構造９０が知られている（例えば、特許文献１の図１）。
【０００３】
洋風水洗式便器は、水道水により洗浄される洋風便器本体８０と、水道水を洋風便器本体８０に吐水させる便器洗浄タンク８１等の便器洗浄装置と、水道水を人体の局部に吐水させる温水タンク８２、ノズル８３等の局部洗浄装置とを備えている。給水ユニット構造９０は一般的に便器洗浄装置又は局部洗浄装置に一体的に設けられている。なお、図９では、給水ユニット構造９０が便器洗浄装置及び局部洗浄装置から離れた位置に図示されているが、実際には、タンクカバー９９内に配設されている。
【０００４】
この一般的な給水ユニット構造９０は、洋風便器本体８０の後部に固定される基部としてのベースプレート９１と、このベースプレート９１にビス（図示しない）によって固定される流路部材９２とを備えている。流路部材９２は、単一のハウジング９２ａに一つの入水ポート９２ｂ及び三つの出水ポート９２ｃ〜９２ｅが形成されている。そして、入水ポート９２ｂはハウジング９２ａ内に形成された第１流路９２ｆによって第１の出水ポート９２ｃに連通し、第１流路９２ｆは内蔵する電磁式制御弁９２ｇを介して第２、３流路９２ｈ、９２ｉに分流されてそれぞれ第２、３の出水ポート９２ｄ、９２ｅに連通している。
【０００５】
入水ポート９２ｂには水道管と接続されるフレキシブルホース９３が接続され、第１の出水ポート９２ｃには便器洗浄装置の例えば便器洗浄タンク８１に接続される導管９４が接続され、第２の出水ポート９２ｄには局部洗浄装置の温水タンク８２に接続される給水ホース９５が接続され、第３の出水ポート９２ｅには捨て水ホース９６が接続される。
【０００６】
このような給水ユニット構造９０は、流路部材９２が単一のハウジング９２ａを採用していることから、例えば洋風水洗式便器に組み付けられる際の部品点数が少なく、製造工程の簡略化に寄与する。
【０００７】
【特許文献１】特開２００４−１０８０７６号公報
【発明の開示】
【発明が解決しようとする課題】
【０００８】
しかし、上記従来の給水ユニット構造のように、部品点数の削減を図った場合には、各品種に個別対応した給水ユニット構造を用意しなければならない。このため、トータルコスト削減の観点から下記の通り、給水ユニット構造を見直す検討もなされている。
【０００９】
すなわち、給水ユニット構造の流路部材に関して、水道水が供給される第１流路部材と、第１流路部材に接続される第２流路部材とからなる複合構造とし、品種間において第１流路部材又は第２流路部材の共通化を図ることが検討されている。上述の具体例でいえば、第１流路部材は便器洗浄装置と局部洗浄装置とに水道水を分配する流路を有し、第２流路部材は、局部洗浄装置に供給される水道水の供給と遮断とを切り替えたりする制御弁を有する構成等が挙げられる。
【００１０】
そして、第１流路部材と第２流路部材との接続には、例えば、Ｏリング等の弾性体シールと、第１流路部材及び第２流路部材の端部を係止するクリップとからなる接続手段が用いられ得る。これにより、接続作業の簡略化を図ることも可能になる。
【００１１】
しかしながら、上記の場合、第２流路部材は、第１流路部材を経由して供給される水道水の供給圧を受ける。そして、第１流路部材と第２流路部材とが上記接続手段によって接続される場合には、水道水の供給圧による双方の距離変化が一定範囲で許容されつつ接続されることとなる。
【００１２】
この場合、第１流路部材を基部に第１ビスで固定し、第２流路部材も同様に基部に第２ビスで固定すると、水道水の供給圧による双方の距離変化により、第１ビス及び第２ビスに互いに離れる方向の負荷がかかり、第１流路部材の第１ビスで固定された部分又は第２流路部材の第２ビスで固定された部分が破損する等の不具合が生じるおそれがあった。
【００１３】
本発明は、上記従来の実情に鑑みてなされたものであって、水道水の供給圧に起因する破損を生じ難い給水ユニット構造を提供することを解決すべき課題としている。
【課題を解決するための手段】
【００１４】
本発明の給水ユニット構造は、基部と、該基部に第１ビスで固定され、水道水が供給される第１流路部材と、該第１流路部材に接続され、該水道水の供給圧を受ける第２流路部材とを備える給水ユニット構造であって、
【００１５】
前記第１流路部材と前記第２流路部材とは、前記水道水の供給圧による双方の距離変化を一定範囲で許容しつつ接続され、
【００１６】
該第２流路部材は、該距離変化を許容する空隙を有して前記基部に第２ビスで係止されていることを特徴とする。
【００１７】
このような構成である本発明の給水ユニット構造は、第１流路部材と第２流路部材とからなる複合構造とされることにより、品種間において第１流路部材又は第２流路部材の共通化を図ることが可能となっており、トータルコスト削減に寄与し得る。
【００１８】
そして、第１流路部材と第２流路部材とは、水道水の供給圧による双方の距離変化を一定範囲で許容しつつ接続される。例えば、Ｏリング等の弾性体シールと、第１流路部材及び第２流路部材の端部を係止するクリップとからなる接続手段が用いられ得る。これにより、接続作業の簡略化を図ることも可能になる。
【００１９】
ここで、本発明の給水ユニット構造においては、第２流路部材がその距離変化を許容する空隙を有して基部に第２ビスで係止されている。
【００２０】
このため、第２流路部材が第１流路部材を経由して供給される水道水の供給圧を受け、これによって第１流路部材と第２流路部材とに距離変化が生じても、第１ビス及び第２ビスに生じる互いに離れる方向の負荷が第２ビス側の空隙によって吸収されることとなる。このため、この給水ユニット構造は、第１流路部材の第１ビスで固定された部分又は第２流路部材の第２ビスで固定された部分が破損する等の不具合が生じ難い。
【００２１】
したがって、本発明の給水ユニット構造は、水道水の供給圧に起因する破損を生じ難い。
【００２２】
第２流路部材が水道水の供給圧による双方の距離変化を許容する空隙を有して基部に第２ビスで係止されている構成の具体例としては、例えば、第２ビスの軸線を距離変化の方向に対して略垂直になるように配置し、第２流路部材が第２ビスの軸線に対して垂直方向に一定の範囲で移動可能な隙間を第２流路部材の一部に形成したもの、又は第２ビスの軸線を距離変化の方向と略平行になるように配置し、第２流路部材が第２ビスの軸線方向に一定の範囲で移動可能な隙間を第２流路部材の一部に形成したもの等の各種構成から選択することが可能である。
【００２３】
本発明の給水ユニット構造において、前記基部は前記第２ビスを固定しており、前記第２流路部材は該第２ビスの軸部を前記空隙を有して挿通させる挿通孔を有していることが好ましい。
【００２４】
この場合、この給水ユニット構造は、第２ビスと挿通孔との隙間を調整することにより、容易に空隙を有する構成とすることができる。このため、この給水ユニット構造は、本発明の効果を容易に奏することができる。
【００２５】
本発明の給水ユニット構造において、前記基部は、前記第２ビスを固定しつつ該第２ビスの軸方向に突出する柱部を有し、前記第２流路部材は、該柱部を前記空隙を有して挿通させる挿通孔を有していることが好ましい。
【００２６】
この場合、第２ビスの軸部と挿通孔の内壁面とが直接当接することはなく、柱部の側面と挿通孔の内壁面とが当接し得る構成となる。このため、第２ビスの軸部と挿通孔の内壁面とが直接当接することに起因して、第２ビスを固定する基部の第２ビスを固定する部分が破損するという不具合を生じない。また、柱部を適度に太くすることにより、第２流路部材の第２ビスで固定された部分を一層破損し難くすることもできる。
【００２７】
本発明の給水ユニット構造において、前記挿通孔は、前記第２流路部材に形成され、前記柱部の突出量よりも厚さが薄い取付部に貫設されていることが好ましい。
【００２８】
この場合、第２ビスを柱部に捩じ込むと、挿通孔の幅よりも大きい第２ビスの頭部が柱部の上面に当て止まる。このため、柱部に固定される第２ビスの頭部の裏面と挿通孔の上面との間には、第２ビスの柱部への捩じ込みトルクがたとえばらついたとしても、一定の隙間が形成されることとなる。このため、この給水ユニット構造は、第２流路部材を基部に固定する場合において、第２ビスの捩じ込み作業のトルク管理が容易となる。
【００２９】
本発明の給水ユニット構造において、前記挿通孔は軸直角方向が開放され得る。
【００３０】
この場合、第２ビスを挿通孔に挿通し易くなり、装着作業がさらに容易になる。
【００３１】
本発明の給水ユニット構造において、前記空隙が軸直角方向から目視可能に構成されていることが好ましい。
【００３２】
この場合、第２ビスを基部に固定する際に捩じ込み過ぎていないかどうか、適正な空隙が確保されているかどうかを作業者や点検者が容易に確認することができる。このため、第２ビスを捩じ込み過ぎる不具合をより確実に防止することができ、品質管理のための確認作業も容易に実施できる。
【００３３】
本発明の給水ユニット構造は、水道水により洗浄される洋風便器本体と、該水道水を該洋風便器本体に吐水させる便器洗浄装置と、該水道水を人体の局部に吐水させる局部洗浄装置とを備えた洋風水洗式便器に用いられるものであって、
【００３４】
前記第１流路部材は、前記便器洗浄装置と前記局部洗浄装置とに前記水道水を分配するものであり、
【００３５】
前記第２流路部材は、該局部洗浄装置に供給される該水道水の供給と遮断とを切り替える制御弁を有するものであり得る。
【００３６】
上記のような洋風水洗式便器に用いられることにより、この給水ユニット構造は、本発明の作用効果を好適に発揮することができる。
【発明を実施するための最良の形態】
【００３７】
以下、本発明を具体化した実施例１、２を図面を参照しつつ説明する。
【実施例１】
【００３８】
図１及び図２に示すように、実施例１の給水ユニット構造１は、基部としてのベースプレート９１と、第１流路部材１０と、第２流路部材２０とを備える。この給水ユニット構造１は、図９に模式的に示す洋風水洗式便器に、従来の給水ユニット構造９０と置き換えられて用いられるものである。
【００３９】
洋風水洗式便器は、水道水により洗浄される洋風便器本体８０と、水道水を洋風便器本体８０に吐水させる便器洗浄タンク８１等の便器洗浄装置と、水道水を人体の局部に吐水させる温水タンク８２、ノズル８３等の局部洗浄装置とを備えている。給水ユニット構造１は便器洗浄装置及び局部洗浄装置に一体的に設けられている。なお、給水ユニット構造１は、実際には、タンクカバー９９内に設置されている。
【００４０】
この給水ユニット構造１において、ベースプレート９１は、洋風便器本体８０の後部に固定され、便器洗浄装置及び局部洗浄装置等が載置されるものである。
【００４１】
このベースプレート９１の上には、図１及び図２に示すように、第１流路部材１０及び第２流路部材２０が設置されている。
【００４２】
第１流路部材１０は、下方に第１入水ポート１１が形成され、上方に第１入水ポート１１と連通する第１出水ポート１２が形成されている。また、第１流路部材１０は、第１入水ポート１１及び第１出水ポート１２の中間から分岐し、第１入水ポート１１と連通する第２出水ポート１３が形成されている。さらに、第１流路部材１０の下端には、ドレン１６が形成されている。
【００４３】
他方、第２流路部材２０は、第１流路部材１０の第２出水ポート１３に接続される第２入水ポート２１が形成され、上方に第２入水ポート２１から分流するよう第３出水ポート２２及び第４出水ポート２３が形成されている。また、第２流路部材２０の下端には、ドレン２６が形成されている。
【００４４】
第２入水ポート２１、第３出水ポート２２及び第４出水ポート２３の間には、電磁式流量調整弁９を設けられている。電磁式流量調整弁９は、水道水の供給と遮断とを切り替えたり、水道水の流量を適量に調整したりして、第３出水ポート２２から水を排出するものである。この際、電磁式流量調整弁９は、調整時の余剰水を第４出水ポート２３から捨て水として排出するようにされている。
【００４５】
第１入水ポート１１には水道管と接続されるフレキシブルホース９３が接続され、第１出水ポート１２に便器洗浄タンク８１に接続される導管９４が接続され、第３出水ポート２２には局部洗浄装置の温水タンク８２に接続される給水ホース９５が接続され、第４出水ポート２３には捨て水ホース９６が接続される。
【００４６】
第１流路部材１０の第２出水ポート１３と、第２流路部材２０の第２入水ポート２１とは、図３〜図５に示すように、弾性体シールとしてのＯリング１３ｃと、第１流路部材１０及び第２流路部材２０の端部を係止するクリップ５とからなる接続手段により接続される構成となっている。
【００４７】
具体的には、図３に示すように、第２出水ポート１３及び第２入水ポート２１には、クリップ５により係止されるフランジ部１３ａ、２１ａが形成されている。また、第２出水ポート１３及び第２入水ポート２１には、互いに嵌め合う挿入円筒部１３ｂ及び嵌合穴部２１ｂが形成されている。挿入円筒部１３ｂの外周面には、Ｏリング１３ｃが配設されており、挿入円筒部１３ｂが嵌合穴部２１ｂに挿入される際に、双方の隙間をシールするようになっている。
【００４８】
クリップ５は、図４及び図５に示すように、金属板が折り曲げられたものであり、フランジ部１３ａ、２１ａを係止するための係止穴５ａが形成されている。このクリップ５は、接続された第２出水ポート１３及び第２入水ポート２１のフランジ部１３ａ、２１ａに、下端を開くように弾性変形しつつ装着されて、フランジ部１３ａ、２１ａを係止することが可能とされている。
【００４９】
このような接続手段により接続された第１流路部材１０と第２流路部材２０とにおいて、第１流路部材１０に水道水が供給されると、第２流路部材２０は、水道水の供給圧を受けることとなる。特に、電磁式流量調整弁９を開閉する場合には、第２流路部材２０は、大きな圧力を受けることとなる。この際、嵌合穴部２１ｂに挿入された挿入円筒部１３ｂは、嵌合穴部２１ｂから抜ける方向に変位しようとする。クリップ５は、その変位を抑制すべくフランジ部１３ａ、２１ａを係止しているが、クリップ５は金属板が折り曲げられたものであるため、ある程度弾性変形することとなる。このため、嵌合穴部２１ｂに挿入された挿入円筒部１３ｂは、水道水の供給圧により嵌合穴部２１ｂから抜ける方向に一定範囲で変位することとなる。こうして、第１流路部材１０と第２流路部材２０とは、水道水の供給圧による双方の距離変化を一定範囲で許容しつつ接続されている。
【００５０】
次に、第１流路部材１０及び第２流路部材２０のベースプレート９１への固定方法を説明する。
【００５１】
図１及び図２に示すように、ベースプレート９１上には、第１流路部材１０を固定する第１台座６１と、第２流路部材２０を固定する第２台座６２とが形成されている。また、ベースプレート９１には、第１流路部材１０の第１入水ポート１１及びドレン１６をベースプレート９１の底面より下方に位置させるための貫通孔６５ａと、第２流路部材のドレーン２６をベースプレート９１の底面より下方に位置させるための貫通孔６５ｂとが形成されている。
【００５２】
他方、第１流路部材１０には、第１入水ポート１１と第２出水ポート１３の分岐付け根との途中に、フランジ状の取付部１５が形成されている。取付部１５には、第１ビス用挿通孔１５ａ、１５ｂが貫設されている。この第１ビス用挿通孔１５ａ、１５ｂに対応して、上述の第１台座６１には、第１ビス５１ａ、５１ｂを固定するための第１ビス用ねじ穴６１ａ、６１ｂが形成されている。
【００５３】
また、第２流路部材２０には、ドレーン２６と第２入水ポート２１の分岐付け根との途中に、フランジ状の取付部２５が形成されている。取付部２５には、図６及び図７に拡大して示すように、第２ビス用挿通孔２５ａが貫設されている。この第２ビス用挿通孔２５ａに対応して、上述の第２台座６２上には、第２ビス５２の軸方向に突出する円柱状の柱部６２ａが形成されている。また、柱部６２ａの中芯軸上には、第２ビス５２を固定するための第２ビス用ねじ穴６２ｂが形成されている。
【００５４】
第２ビス用挿通孔２５ａは、柱部６２ａに対して、空隙Ｃｈを有している。具体的には、第２ビス用挿通孔２５ａは、円柱状の柱部６２ａの外径よりも、空隙Ｃｈの分だけ大きな内径を有する円い孔の一部が欠落して、軸直角方向が開放されている形状とされている。このため、第２ビス用挿通孔２５ａを図６において矢視Ｂ方向から見た場合、空隙Ｃｈを目視可能となっている。なお、空隙Ｃｈの値は、上述した第１流路部材１０と第２流路部材２０との間の一定範囲で許容された距離変化の値に対して、少し小さい程度から若干大きい程度までの範囲で適宜設定することができる。
【００５５】
取付部２５の厚さは、図７に示すように、柱部６２ａの突出量よりも、薄くされている。このため、第２ビス５２を柱部６２ａに捩じ込む場合、第２ビス用挿通孔２５ａの幅よりも大きい第２ビス５２の頭部５２ａは、柱部６２ａの上面に当て止まることとなり、第２ビス５２の頭部５２ａの裏面と第２ビス用挿通孔２５ａの上面との間に、一定の隙間Ｃｖが形成されるようになっている。
【００５６】
第１流路部材１０及び第２流路部材２０をベースプレート９１へ固定する際には、まず、第２出水ポート１３及び第２入水ポート２１をクリップ５により係止することにより、第１流路部材１０及び第２流路部材２０を接続する。そして、第１流路部材１０及び第２流路部材２０の第１入水ポート１１及びドレン１６、２６をベースプレート９１の貫通孔６５ａ、６５ｂに通して、ベースプレート９１の下方に位置させるとともに、取付部１５、２５を第１台座６１及び第２台座６２上に載置する。その後、第１ビス５１ａ、５１ｂを第１ビス用挿通孔１５ａ、１５ｂに通して、第１台座６１の第１ビス用ねじ穴６１ａ、６１ｂに規定のトルクで捩じ込んで固定し、第２ビス５２を第２ビス用挿通孔２５ａに通して、第２台座６２の柱部６２ａの第２ビス用ねじ穴６２ｂに規定のトルクで捩じ込んで固定する。こうして、第１流路部材１０及び第２流路部材２０をベースプレート９１上に固定することができる。この際、第２ビス用挿通孔２５ａと柱部６２ａとの間には、空隙Ｃｈが形成され、第２ビス５２の頭部５２ａの裏面と第２ビス用挿通孔２５ａの上面との間に、一定の隙間Ｃｖが形成されることとなる。
【００５７】
このような構成である実施例１の給水ユニット構造１は、第１流路部材１０と第２流路部材２０とからなる複合構造とされることにより、品種間において第１流路部材１０又は第２流路部材２０の共通化を図ることが可能となっており、トータルコスト削減に寄与している。
【００５８】
そして、給水ユニット構造１において、第１流路部材１０と第２流路部材２０とは、水道水の供給圧による双方の距離変化を一定範囲で許容しつつ接続されている。具体的には、Ｏリング１３ｃと、第１流路部材１０の第２出水ポート１３のフランジ部１３ａ及び第２流路部材２０の第２入水ポート２１のフランジ部２１ａを係止するクリップ５とからなる接続手段が用いられている。これにより、第１流路部材１０と第２流路部材２０とを接続する作業の簡略化を図ることも可能になっている。
【００５９】
ここで、実施例１の給水ユニット構造１においては、第２流路部材１０がその距離変化を許容する空隙Ｃｈを有してベースプレート９１に第２ビス５２で係止されている。
【００６０】
このため、第２流路部材２０が第１流路部材１０を経由して供給される水道水の供給圧を受け、これによって第１流路部材１０と第２流路部材２０とに距離変化が生じても、給水ユニット構造１は、第１ビス５１ａ、５１ｂ及び第２ビス５２に生じる互いに離れる方向の負荷を第２ビス側の空隙Ｃｈによって吸収することができる。このため、この給水ユニット構造１は、第１流路部材１０の第１ビス５１ａ、５１ｂで固定された部分又は第２流路部材の第２ビス５２で固定された部分が破損する等の不具合が生じ難くなっている。
【００６１】
したがって、実施例１の給水ユニット構造１は、水道水の供給圧に起因する破損を生じ難い。
【００６２】
また、この給水ユニット構造１において、ベースプレート９１の第２台座６２は、第２ビス５２を固定しつつ第２ビス５２の軸方向に突出する柱部６２ａを有し、第２流路部材２０の取付部２５は、柱部６２ａを空隙Ｃｈを有して挿通させる第２ビス用挿通孔２５ａを有しているので、第２ビス５２の軸部５２ｂと第２ビス用挿通孔２５ａの内壁面とが直接当接することはなく、柱部６２ａの側面と第２ビス用挿通孔２５ａの内壁面とが当接し得る構成となっている。このため、第２ビス５２の軸部５２ｂと第２ビス用挿通孔２５ａの内壁面とが直接当接することに起因して、第２台座６２の第２ビス用ねじ穴６２ｂが破損するという不具合を生じない。また、柱部６２ａを適度に太くすることにより、第２流路部材２０の第２ビス５２で固定された部分を一層破損し難くすることも可能となっている。
【００６３】
さらに、この給水ユニット構造１において、第２ビス用挿通孔２５ａは、第２流路部材２０に形成された取付部２５に貫設されており、取付部２５の厚さが柱部６２ａの突出量よりも薄くされている。このため、第２ビス５２を柱部６２ａの第２ビス用ねじ穴６２ｂに捩じ込むと、第２ビス用挿通孔２５ａの幅よりも大きい第２ビスの頭部５２ａが柱部６２ａの上面に当て止まる。このため、柱部６２ａに固定される第２ビス５２の頭部５２ａの裏面と第２ビス用挿通孔２５ａの上面との間には、第２ビス５２の柱部６２ａへの捩じ込みトルクがたとえばらついたとしても、一定の隙間Ｃｖが形成される。このため、この給水ユニット構造１は、第２流路部材２０をベースプレート９１に固定する場合において、第２ビス５２の捩じ込み作業のトルク管理が容易となっている。
【００６４】
また、この給水ユニット構造１において、第２ビス用挿通孔２５ａは軸直角方向が開放されているので、第２ビス５２を第２ビス用挿通孔２５ａに挿通し易くなっている。このため、この給水ユニット構造１は、第２流路部材２０の装着作業がさらに容易になっている。
【００６５】
さらに、この給水ユニット構造１において、空隙Ｃｈが軸直角方向から目視可能に構成されているので、第２ビス５２をベースプレート９１の取付部６２に固定する際に捩じ込み過ぎていないかどうか、適正な空隙が確保されているかどうかを作業者や点検者が容易に確認可能となっている。このため、第２ビス５２を捩じ込み過ぎる不具合をより確実に防止することができており、品質管理のための確認作業も容易に実施可能となっている。
【実施例２】
【００６６】
実施例１の給水ユニット構造１において、第２台座６２に柱部６２ａを形成する代わりに、図８に示すように、第２ビス５２の軸部５２ｂを上方の円柱部５２ｃと下方のねじ部５２ｄとからなるものとしてもよい。
【００６７】
この場合、円柱部５２ｃの外径及び軸直角方向長さを実施例１の柱部６２ａと同一にすることにより、実施例１と同様に、空隙Ｃｈ及び隙間Ｃｖを有することが可能である。
【００６８】
これにより、実施例２の給水ユニット構造１も、実施例１の給水ユニット構造１と同様の作用効果を奏することができる。
【００６９】
以上において、本発明を実施例１、２に即して説明したが、本発明は上記実施例１、２に制限されるものではなく、その趣旨を逸脱しない範囲で適宜変更して適用できることはいうまでもない。
【００７０】
例えば、基部としてのベースプレート９１、第１台座６１及び第２台座６２は、実施例１では、説明しやすくするために、平面的で凹凸が少ない形状としているが、洋風水洗式便器の他の構成部材との配置上、段差を有していたり、複雑な凹凸形状を有していてもよい。また、第１台座６１及び第２台座６２が高低差を有していてもよい。
【００７１】
また、第１ビス５１ａ、５１ｂ及び第２ビス５２の数についても、給水ユニット構造１の仕様に応じて適宜設定可能である。
【産業上の利用可能性】
【００７２】
本発明は洋風水洗式便器等に利用可能である。
【図面の簡単な説明】
【００７３】
【図１】実施例１の給水ユニット構造の概略上面図である。
【図２】実施例１の給水ユニット構造に係り、図１のＡ−Ａ断面を示す概略側面図である。
【図３】実施例１の給水ユニット構造に係り、第２出水ポートと第２入水ポートとの接続構造を示す要部拡大側面図である。
【図４】実施例１の給水ユニット構造に係り、クリップの概略側面図である。
【図５】実施例１の給水ユニット構造に係り、クリップの概略正面図である。。
【図６】実施例１の給水ユニット構造に係り、第２ビス用挿通孔２５ａ付近の要部拡大上面図である。
【図７】実施例１の給水ユニット構造に係り、第２ビス用挿通孔２５ａ付近の要部拡大断面図である。
【図８】実施例２の給水ユニット構造に係り、第２ビス用挿通孔２５ａ付近の要部拡大断面図である。
【図９】従来の給水ユニット構造が用いられる洋風水洗式便器の模式図である。
【符号の説明】
【００７４】
１、９０…給水ユニット構造
１０…第１流路部材
２０…第２流路部材
１５ａ、１５ｂ、２５ａ…挿通孔（１５ａ、１５ｂ…第１ビス用挿通孔、２５ａ…第２ビス用挿通孔）
５１ａ、５１ｂ…第１ビス
５２…第２ビス
５２ｂ…軸部
６２ａ…柱部
８０…洋風便器本体
９１…基部（ベースプレート）
Ｃｖ…空隙
Ｃｈ…隙間
【図１】
2006283483.tif 000003
【図２】
2006283483.tif 000004
【図３】
2006283483.tif 000005
【図４】
2006283483.tif 000006
【図５】
2006283483.tif 000007
【図６】
2006283483.tif 000008
【図７】
2006283483.tif 000009
【図８】
2006283483.tif 000010
【図９】
2006283483.tif 000011